(57)【特許請求の範囲】
【請求項１】
デスクトップパソコンであって、
ハウジングと、
前記ハウジング内に収納され、前記ハウジングの外に露出する表示パネルおよび前記表示パネルに相対して設置されるバックボードを有する表示モジュールと、
メインボード部に設置されるメインボードと、
前記デスクトップパソコンの重心位置に位置し、ストレージ部に設置されるストレージデバイスと、
放熱部に設置される放熱装置とを備え、
前記メインボード部、前記ストレージ部および前記放熱部は、前記ハウジング内に収納され、
前記表示パネルは、前記バックボードの一方の面側に設置され、前記メインボード部、前記ストレージ部および前記放熱部は、前記バックボードの他方の面側に設置され、且つ、互いに重なり合わないように同一平面に位置し、
前記メインボード部および前記放熱部は、矩形を呈し、前記ストレージ部は、Ｌ型を呈し、
前記メインボード部および前記ストレージ部は、それぞれ、前記バックボードの他方の面側における両側辺に設置され、
前記放熱部は、前記メインボード部と前記ストレージ部の間に設置されていることを特徴とする、デスクトップパソコン。
【請求項２】
前記放熱装置は、前記バックボードの上半部に設置されることを特徴とする、請求項１に記載のデスクトップパソコン。
【請求項３】
前記ハウジングは、前記放熱装置に対応する複数の放熱開口部を有することを特徴とする、請求項１に記載のデスクトップパソコン。
【請求項４】
前記ハウジングは、前記ハウジングの底部に近い位置に複数の多空気進入開口部を有することを特徴とする、請求項１に記載のデスクトップパソコン。
【請求項５】
前記メインボードは、ＣＰＵ、チップセット、ＵＳＢ接続ポート、カードリーダー用ポート、オーディオ信号出力ポート、入力インターフェース接続ポート、インターネット接続ポートまたはそのいずれかの組合せを含むことを特徴とする、請求項１に記載のデスクトップパソコン。
【請求項６】
前記放熱装置は、放熱ファン、放熱フィルム、放熱板、ヒートシンク、導熱管、またはそのいずれかの組合せを含むことを特徴とする、請求項１に記載のデスクトップパソコン。
【請求項７】
前記ストレージデバイスは、ハードディスクドライブ、ＣＤドライブを有し、前記ＣＤドライブは、前記ハードディスクドライブに隣接して設置されることを特徴とする、請求項１に記載のデスクトップパソコン。
【請求項８】
前記ストレージデバイスは、ハードディスクドライブを有し、前記ハードディスクドライブは、前記デスクトップパソコンの重心位置に設置されることを特徴とする、請求項１に記載のデスクトップパソコン。
【発明の詳細な説明】
【技術分野】
【０００１】
本発明は、デスクトップパソコンに関する。
【背景技術】
【０００２】
コンピューターは、文書処理作業や製図等に使用される外、インターネットを通して他人と連絡したり、知識や体験をシェアし合ったり、また、オンラインでショッピングしたりする場合にも利用される。コンピューターは、今や、個人や会社、企業にとって不可欠な電子製品の一つである。
【０００３】
図１は、従来のデスクトップパソコンを示した図である。デスクトップパソコン1は、ディスプレイ１１及び本体１２を有する。本体１２は、例えば、メインボード、ＣＰＵ（Central Processing Unit）、ハードディスクドライブ、放熱装置（以上は図示はされない）及びＣＤドライブ１２１等のパーツを有し、前記パーツは、ハウジング１２２内に設置される。本体１２はさらに、導線によってディスプレイ１１に接続される。
【発明の概要】
【発明が解決しようとする課題】
【０００４】
しかしながら、従来のデスクトップパソコン１のディスプレイ１１と本体１２は、互いに独立した異なるパーツであるため、デスクトップパソコン１の体積が大きく、それを設置するための空間が必要となり、使用上、設置上の困難を生じる。
【０００５】
それゆえに、本発明の目的は、表示モジュール、メインボード、ストレージデバイス及び放熱装置が同一のハウジング内に設置されることで、デスクトップパソコンの体積を縮小して、使用及び設置に便利な一体型（all-in-one）のデスクトップパソコンを提供することである。
【課題を解決するための手段】
【０００６】
上記した目的を達成するために、本発明は、以下に示す発明のデスクトップパソコンを提供するものである。
【０００７】
すなわち、本発明は、デスクトップパソコンであって、ハウジングと、ハウジング内に収納され、ハウジングの外に露出する表示パネルおよび表示パネルに相対して設置されるバックボードを有する表示モジュールと、メインボード部に設置されるメインボードと、  デスクトップパソコンの重心位置に位置し、ストレージ部に設置されるストレージデバイスと、放熱部に設置される放熱装置とを備え、メインボード部、ストレージ部および放熱部は、ハウジング内に収納され、表示パネルは、バックボードの一方の面側に設置され、メインボード部、ストレージ部および放熱部は、バックボードの他方の面側に設置され、且つ、互いに重なり合わないように同一平面に位置し、メインボード部および放熱部は、矩形を呈し、ストレージ部は、Ｌ型を呈し、メインボード部およびストレージ部は、それぞれ、バックボードの他方の面側における両側辺に設置され、放熱部は、メインボード部とストレージ部の間に設置されていることを特徴とする、デスクトップパソコンである。
【０００８】
また、本発明は、上記した放熱装置が、前記バックボードの上半部に設置されることを
特徴とする、デスクトップパソコンである。
【０００９】
また、本発明は、上記したハウジングが、放熱装置に対応する複数の放熱開口部を有することを特徴とする、デスクトップパソコンである。
さらに、本発明は、上記したハウジングが、ハウジングの底部に近い位置に複数の多空気進入開口部を有することを特徴とする、デスクトップパソコンである。
【００１０】
また、本発明は、上記したメインボードが、ＣＰＵ、チップセット、ＵＳＢ接続ポート、カードリーダー用ポート、オーディオ信号出力ポート、入力インターフェース接続ポート、インターネット接続ポートまたはそのいずれかの組合せを含むことを特徴とする、デスクトップパソコンである。
また、本発明は、上記した放熱装置が、放熱ファン、放熱フィルム、放熱板、ヒートシンク、導熱管、またはそのいずれかの組合せを含むことを特徴とする、デスクトップパソコンである。
【００１１】
また、本発明は、上記したストレージデバイスが、ハードディスクドライブ、ＣＤドライブを有し、ＣＤドライブが、ハードディスクドライブに隣接して設置されることを特徴とする、デスクトップパソコンである。
さらに、本発明は、上記したストレージデバイスが、ハードディスクドライブを有し、ハードディスクドライブが、デスクトップパソコンの重心位置に設置されることを特徴とする、デスクトップパソコンである。
【発明の効果】
【００１２】
本発明のデスクトップパソコンによれば、表示モジュール、メインボード、ストレージデバイス及び放熱装置が同一ハウジング内に収納されるため、デスクトップパソコンの体積を縮小することが可能である。また、本発明のデスクトップパソコンによれば、メインボード、ストレージデバイス及び放熱装置は、互いに重なり合うことがない。そして、メインボード、ストレージデバイス及び放熱装置が、それぞれ、所定の領域内に設置されることで、特有の配置を有することにより、異なるサイズまたは近似するサイズの表示モジュールに対応して、同一メインボード、ストレージデバイス及び放熱装置を利用したり、同一サイズの表示モジュールに対応して、異なるサイズまたは異なる機能のメインボード、ストレージデバイス及び放熱装置の設置または交換をしたりすることが可能である。さらに、カスタマイズ仕様のデスクトップパソコンにおいて、異なるサイズの表示モジュールまたはメインモジュールに対応させるために、別に金型を作製して異なるハウジングを製作しなければならないという問題を回避する。また、本発明のデスクトップパソコンによれば、ストレージデバイスが重心に近い位置に設置されることにより、全体構造の安定性が高まる。
【００１３】
本発明の上述の目的、その他の目的、特徴および利点は、図面を参照して行う以下の発明を実施するための形態の説明から一層明らかとなろう。
【図面の簡単な説明】
【００１４】
【図１】従来のデスクトップパソコンを示した図である。
【図２】本発明の好適な実施例におけるデスクトップパソコンを示した図である。
【図３】本発明の好適な実施例におけるデスクトップパソコンのメインボード、放熱装置及びストレージデバイスのパーティション設置を示した図である。
【図４】本発明の好適な実施例におけるデスクトップパソコンの他の態様のメインボード、放熱装置及びストレージデバイスのパーティション設置を示した図である。
【図５】本発明の好適な実施例におけるデスクトップパソコンの他の態様を示した背面図である。
【発明を実施するための形態】
【００１５】
以下に図を参照しながら、本発明の好適な実施例における一体型（all-in-one）のデスクトップパソコン（以下、単に、「デスクトップパソコン」という。）の一例について説明する。
【００１６】
同時に、図２及び図３を参照しながら説明する。図２は、本発明の好適な実施例におけるデスクトップパソコンを示した図である。図３は、本発明の好適な実施例におけるデスクトップパソコンのメインボード、放熱装置及びストレージデバイスのパーティション設置を示した図である。図３中では、詳しく説明するために、図中には、ハウジング及びベースが表示されていない。実際の構造において、当該デスクトップパソコンはハウジングを有し、さらに、必要に応じて、ベースまたはスタンドを有する。
【００１７】
このデスクトップパソコン２は、表示モジュール３、メインボード４、放熱装置５、ストレージデバイス６及びハウジング７を備える。表示モジュール３、メインボード４、放熱装置５及びストレージデバイス６は、ハウジング７内に収納される。この内、メインボード４、放熱装置５及びストレージデバイス６は、まとめてメインモジュールＡと称する。表示モジュール３とメインモジュールＡは相対して設置される。さらに詳しく説明すると、メインボード４、放熱装置５及びストレージデバイス６は、表示モジュール３の背面に設置され、且つ、互いに重なり合わない。また、本実施例において、このデスクトップパソコン２は、ベース８をさらに備える。ベース８とハウジング７を連結して、デスクトップパソコン２を載せることで、デスクトップパソコン２を平面（例えば、デスク面）上に設置させることが可能である。
【００１８】
表示モジュール３は、表示パネル３１を有する。本実施例において、表示モジュール３は、バックボード３２をさらに有する。表示パネル３１は、ハウジング７の外に露出し、バックボード３２の一方面側に設置される。本実施例の表示モジュール３は、液晶表示（Liquid Crystal Display, LCD）モジュール、発光ダイオード（Light-Emitting Diode, LED）表示モジュール、有機発光ダイオード表示（Organic Light-Emitting Display, OLED）モジュール、電界放射ディスプレイ（Field Emission Display, FED）モジュールまたはプラズマディスプレイパネル（Plasma Display Panel, PDP）モジュールである。
【００１９】
メインモジュールＡは、バックボード３２の他方面側に設置される。つまり、メインモジュールＡは、表示パネル３１に対応するバックボード３２の反対側に設置されるということである。本実施例において、バックボード３２は、メインモジュールＡの反対側に設置されてメインボード部９１、放熱部９２及びストレージ部９３に区分される。本実施例のメインボード４、放熱装置５及びストレージデバイス６は、それぞれ、メインボード部９１、放熱部９２及びストレージ部９３に対応して設置される。
【００２０】
図３を参照しながら説明する。メインボード部９１は、実質的に矩形を呈し、さらに、バックボード３２の一方の側辺に位置する。本実施例のメインボード部９１は、バックボード３２の右側に位置する。言い換えれば、メインボード４は、バックボード３２の右側に位置するということである。ストレージ部９３は、実質的にＬ型を呈し、且つ、バックボード３２の他方の側辺に位置する。本実施例のストレージ部９３は、バックボード３２の左側に位置する。言い換えれば、ストレージデバイス６は、バックボード３２の左側に位置し、すなわち、メインボード４及びストレージデバイス６は、それぞれ、バックボード３２の両方の側辺に設置されるということである。
【００２１】
放熱部９２は、実質的に矩形を呈し、且つ、バックボード３２の上半部に位置して、メインボード部９１とストレージ部９３の間に位置する。言い換えれば、放熱装置５は、バックボード３２の上半部に位置するということである。以上の特有のパーティション配置により、バックボード３２の共用性が向上する。さらに、実際のニーズに応じて、異なるサイズの表示モジュール３、メインボード４、放熱装置５、または、ストレージデバイス６を設置することが可能である。さらに、バックボード３２の共用性を高めるために、別に金型を作製して異なるハウジングを製作してカスタマイズする必要がない。
【００２２】
メインボード４は、メインボード部９１に設置される。本実施例のメインボード４は、バックボード３２の一方の側辺に位置する。メインボード４は、ＣＰＵ（Central Processing Unit）、チップセット（Chip Set）、ＵＳＢ（Universal Serial Bus）接続ポート、カードリーダー用ポート、オーディオ信号出力ポート、入力インターフェース接続ポート、インターネット接続ポートまたはそのいずれかの組合せを含む。この内、入力インターフェース接続ポートに接続される入力設備は、例えば、デジタルパッド、ゲームコントローラー、キーボードまたはマウス等が含まれる。
【００２３】
放熱装置５は、放熱部９２に設置される。本実施例の放熱装置５は、バックボード３２の上半部に位置する。放熱装置５は、放熱ファン、放熱フィルム、放熱板、ヒートシンク、導熱管、またはそのいずれかの組合せを含む。この内、放熱ファンは、軸流式ファンまたは遠心式ファンである。本実施例の放熱装置５は、多数の放熱ファンＦ及び多数の導熱管Ｐを例としている。さらに、導熱管Ｐは、メインボード４の電子素子に接続されて、メインボード４の作動時に高熱となる電子素子に対して放熱を行なう。
【００２４】
ストレージデバイス６は、ストレージ部９３に設置される。本実施例のストレージデバイス６は、バックボード３２の他方の側辺に位置する。また、ストレージデバイス６は、デスクトップパソコン２の重心位置に設置される。ストレージデバイス６は、ハードディスクドライブ６１を有する。実際の設計に応じて、ストレージデバイス６はさらに、ＣＤドライブ６２を有する。ＣＤドライブ６２は、ハードディスクドライブ６１に隣接して設置される。この内、ハードディスクドライブ６１は、ＨＤＤ（Hard Disk Drive）またはＳＳＤ（Solid State Drive）である。また、ハードディスクドライブ６１は、使用される規格に応じて、例えば、１．８インチ、２．５インチまたは３．５インチ等の異なるサイズのハードディスクドライブ６１が採用される。ここでは、ハードディスクドライブ６１は、２．５インチの場合を例とするが、これに限られるものではない。ＣＤドライブ６２は、ＣＤ−ＲＯＭ ＯＤＤ（CD-ROM Optical Disk Drive）、ＣＤ−Ｒドライブ、ＣＤ−ＲＷドライブ、ＤＶＤ−ＲＯＭドライブ、ＤＶＤ−Ｒドライブまたはブルーレイディスク（Blue-ray Disk, BD）ドライブ等である。
【００２５】
また、ハードディスクドライブ６１は、デスクトップパソコン２の重心位置に設置されて、デスクトップパソコン２の全体的構造の安定性を高める。本実施例のデスクトップパソコン２の重心位置は、例えば、中間下方に位置する。このため、ハードディスクドライブ６１は、バックボード３２の中間下方の位置に設置されることで、ハードディスクドライブ６１の作動時にデスクトップパソコン２が振動により揺れることがない。さらに、表示モジュール３のインバータ（inverter）Ｉは、バックボード３２の左上方に設置される。つまり、ストレージ部９３の左上方であることにより、ハードディスクドライブ６１及びＣＤドライブ６２の配置位置が変更された場合、ＣＤドライブ６２とインバータＩの位置も変更されることで、ハードディスクドライブ６１またはＣＤドライブ６２と、インバータＩとが重なって設置されることによる放熱効果への悪影響を回避する。
【００２６】
本実施例のメインボード４、放熱装置５及びストレージデバイス６は、実質上、同一平面または異なる平面に位置する。この内、異なる平面とは、メインボード４、放熱装置５及びストレージデバイス６が、異なる高度に位置するが、メインボード４、放熱装置５及びストレージデバイス６は、互いに重ならないということを原則とする。したがって、メインボード４、放熱装置５及びストレージデバイス６が重なって配置されることによる放熱率への悪影響が回避される。
【００２７】
また、図４を参照しながら説明する。図４は、本発明の好適な実施例におけるデスクトップパソコンの他の態様のメインボード、放熱装置及びストレージデバイスのパーティション設置を示した図である。デスクトップパソコン２ａ内のストレージデバイス６ａのハードディスクドライブ６１ａのサイズは、例えば３．５インチである。このため、ＣＤドライブ６２ａは、ストレージ部９３の左上方に設置される。表示モジュール（図示されない）のインバータＩは、ハードディスクドライブ６１ａとＣＤドライブ６２ａの間に設置される。この場合、空間を節約するために、インバータＩは、ＣＤドライブ６２ａの設置位置と重なることも可能である。また、本実施例のメインボード４ａのサイズは、上述の実施例のメインボード４より小さい。同時に、図３及び図４を参照しながら説明する。本発明のメインボード部９１のメインボード４、４ａは、異なる性能または設計に応じて、メインボード４、４ａ、放熱装置５及びストレージデバイス６、６ａの相対位置に影響しない状況において、メインボード４、４ａの面積を拡大または縮小することで、同様のバックボード３２が設置できて、バックボード３２の共用性を高めることができる。
【００２８】
図２及び図３に示したように、メインボード４、放熱装置５及びストレージデバイス６は、それぞれ、一領域内に設置されて、異なるサイズまたは近似するサイズの表示モジュール３に対応して、同様のメインボード４、放熱装置５及びストレージデバイス６を利用したり、同一サイズの表示モジュール３に対応して、異なるサイズまたは異なる機能のメインボード４、放熱装置５及びストレージデバイス６の設置または変更をしたりすることが可能である。そして、カスタマイズ仕様のデスクトップパソコン２において、異なるサイズの表示モジュール３、メインボード４、放熱装置５またはストレージデバイス６に対応して、別に金型を作製して異なるハウジング７を製作しなければならないという問題を回避する。
【００２９】
さらに、メインボード４は、異なる性能または設計に応じて、メインボード４、放熱装置５及びストレージデバイス６の相対位置に影響しない状況において、メインボード４の面積を拡大または縮小して、同じバックボード３２に設置することが可能である。したがって、メインボード４、放熱装置５及びストレージデバイス６の選択性が増す。同様に、デスクトップパソコン２において、異なる性能または設計に応じて、別にバックボード３２に対応させたり、金型を作製して異なるハウジング７を製作するというカスタマイズの際に必要となる問題を回避する。
【００３０】
また、本実施例のデスクトップパソコン２の表示モジュール３は、さらに、従来の表示モジュールを応用することが可能で、本実施例のデスクトップパソコン２に対応するために表示モジュール３を製作する必要がないため、本実施例のデスクトップパソコン２の製作コストを効果的に節約することができる。また、本実施例のデスクトップパソコン２は、ユーザーの必要に応じた性能または設計に基づき、ユーザー自らメインボード４、放熱装置５またはストレージデバイス６のグレードアップができる。例えば、ＣＰＵのグレードアップ、メインボードのメモリ数量または容量の追加、または、ハードディスクドライブ６１の交換等により、ユーザーのニーズに対応する。
【００３１】
図５を参照しながら説明する。図５は、本発明の好適な実施例におけるデスクトップパソコンの他の態様を示した背面図である。本実施例において、デスクトップパソコン２ｂは、スタンド８ａをさらに備える。スタンド８ａは、ハウジング７と連結して、デスクトップパソコン２ｂを受けて支え、デスクトップパソコン２ｂを平面（例えば、デスク面）上に設置させることが可能である。表示モジュール３、メインボード、放熱装置及びストレージデバイスは、ハウジング７内に設置される。このうち、表示モジュール３の表示パネルは、ハウジング７の外に露出するが、ハウジング７は、完全に、メインボード、放熱装置、ストレージデバイスを覆う。この内、メインボード、放熱装置及びストレージデバイスの構造及び配列方式は、図３及び図４の態様を応用しているが、ここでは特に制限しない。
【００３２】
ハウジング７は、図５に示すように、多数の空気進入開口部７１及び多数の放熱開口ブ７２を有する。この内、前記放熱開口部７２は、放熱装置に対応して設置されることで、放熱装置が抽出した熱気が前記放熱開口部７２を経由して外に排出される。前記空気進入開口部７１と前記放熱開口部７２は、相対して設置される。前記空気進入開口部７１は、デスクトップパソコン２ｂの底部に近い位置に設置される。そして、前記放熱開口部７２は、デスクトップパソコン２ｂの頂上部に近い位置に設置される。前記空気進入開口部７１と放熱開口部７２は、共同で放熱のための（熱対流）経路を構成する。気体は、外界からデスクトップパソコン２ｂの底部に近い位置の前記空気進入開口部７１を経由してハウジング７内に進入する。放熱装置の、例えば、放熱ファンは、気体を吸入してメインモジュールが発生させた熱気を上に向かって吹き上げて、最後に前記放熱開口部７２から外に排出されて、放熱効果を達成する。
【００３３】
このように、本発明のデスクトップパソコンは、表示モジュール、メインボード、放熱装置及びストレージデバイスが同一ハウジング内に収納され、表示パネルとメインボード、放熱装置及びストレージデバイスが、それぞれバックボードの両側に設置されることにより、デスクトップパソコンの体積を縮小することが可能である。
また、本発明の表示モジュールのバックボードは、表示モジュールの反対側に設置されて、メインボード部、放熱部及びストレージ部に区分される。メインボード部及びストレージ部は、それぞれバックボードの両側辺に位置する。そして、放熱部位は、バックボードの上半部であり、メインボード部とストレージ部の間に位置する。このため、メインモジュールのメインボード部をバックボードの一側領域に設置することにより、メインモジュールのメインボード、放熱装置及びストレージデバイスが、それぞれ、一領域内に設置されることが可能である。
したがって、異なるサイズまたは近似するサイズの表示モジュールに対応して、同一メインボード、ストレージデバイス及び放熱装置を利用することが可能である。または、同一サイズの表示モジュールに対応して、異なるサイズまたは異なる機能のメインボード、ストレージデバイス及び放熱装置の設置または交換が可能である。さらに、カスタマイズ仕様のデスクトップパソコンにおいて、異なるサイズの表示モジュール、メインボード、ストレージデバイスまたは放熱装置に対応させて、別に金型を作製して異なるハウジングを製作しなければならないという問題を回避する。
【００３４】
さらに、メインボードは、異なる性能または設計に応じて、メインボード、放熱装置及びストレージデバイスの相対位置に影響しない状況において、メインボードの面積を拡大または縮小して、同じバックボードに設置して、バックボードの共用性を高めることが可能である。したがって、メインボード、放熱装置及びストレージデバイスの選択性を高めると同様に、デスクトップパソコンにおいて、異なる性能や設計のニーズに応じて、別に対応するバックボードを製作したり、金型を作製して異なるハウジングを製作するという、カスタマイズに伴う問題が回避される。また、本発明のデスクトップパソコンはさらに、ハードディスクドライブがデスクトップパソコンの重心位置に設置されることにより、全体構造の安定性を高める。
【００３５】
また、本発明のデスクトップパソコンの表示モジュールは、さらに、従来の表示モジュールを応用して、本発明のデスクトップパソコンに対応させることが可能で、別に表示モジュールを製作する必要がないため、本発明のデスクトップパソコンの製作コストが効果的に節約できる。また、本発明のデスクトップパソコンは、ユーザーが必要とする性能または設計に応じて、ユーザー自らメインボード、放熱装置及びストレージデバイスのグレードアップが可能である。例えば、ＣＰＵのグレードアップ、メインボードのメモリの数量または容量の追加、または、ハードディスクドライバの交換等により、ユーザーのニーズに対応させることが可能である。
【００３６】
以上、本発明の実施例を図面を参照して詳述してきたが、具体的な構成は、これらの実施例に限られるものではなく、本発明の要旨を逸脱しない範囲の設計変更などがあっても、本発明に含まれる。
【符号の説明】
【００３７】
１              デスクトップパソコン
１１            ディスプレイ
１２            本体
１２１          ＣＤドライブ
１２２、７      ハウジング
２、２ａ、２ｂ  一体型（all-in-one）のデスクトップパソコン
３              表示モジュール
３１            表示パネル
３２            バックボード
４、４ａ        メインボード
５              放熱装置
６、６ａ        ストレージデバイス
６１、６１ａ    ハードディスクドライブ
６２、６２ａ    ＣＤドライブ
７１            空気進入開口部
７２            放熱開口部
８              ベース
８ａ            スタンド
９１            メインボード部
９２            放熱部
９３            ストレージ部
Ａ、Ｂ          メインモジュール
Ｆ              放熱ファン
Ｉ              インバータ
Ｐ              導熱管
【図１】
0005538171.tif 000002
【図２】
0005538171.tif 000003
【図３】
0005538171.tif 000004
【図４】
0005538171.tif 000005
【図５】
0005538171.tif 000006